(57)【特許請求の範囲】
【請求項１】
平面視において、ほぼ一直線上に離間して配置された壁の上端部どうしの間に、架材が架設され、かつ、該架材が勾配屋根の下面に沿って傾斜しており、
互いに対向する前記壁の側端面に、該壁と同高さを有し前記架材の下面を受ける支持材が固定されているとともに、前記壁の上端面に前記架材の側端面を受ける受材が固定され、前記支持材および受材に前記架材の端部が固定されていることを特徴とする建物。
【請求項２】
請求項１記載の建物において、
前記架材が棟の左右の勾配に沿って傾斜する傾斜部を有していることを特徴とする建物。
【請求項３】
請求項１または２記載の建物において、
前記壁の両側に位置する場所の天井が、前記架材の傾斜に沿って設けられていることを特徴とする建物。
【請求項４】
請求項１〜３のいずれかに記載の建物において、前記架材が架設される壁が壁パネルで構成されていることを特徴とする建物。
【発明の詳細な説明】
【０００１】
【発明の属する技術分野】
本発明は、建物内部の壁に大きな開口部を形成することができる建物に関するものである。
【０００２】
【従来の技術】
近年、建物の構築についてはその工業化が進み、例えば壁や床、屋根といった構成要素を予め工場にてパネル化しておき、施工現場でこれらのパネルを組み立てることにより、建物を構築するといったパネル工法が一部に採用されている。このような建物において、建物内部の壁に開口部を設ける場合、例えば、平面視において壁パネルを一直線上に離間させて設け、これら壁パネルの上端部どうしの間に小壁パネルを設けることによって、該小壁パネルの下方に開口部を設けるようにしている。
一方、前記小壁パネルを含む壁パネルの上端部には、建物の屋根を構成する屋根パネルを支持するために、小屋パネルや、上部が屋根の勾配に対応して傾斜する異形の屋切パネル等が接合されている場合がある。
【０００３】
【発明が解決しようとする課題】
したがって、上記構成の建物では、前記壁パネルの上に小屋パネルや屋切パネル等が接合されている場合において、建物内部の壁に開口部を設けるには、その開口部の上下方向の大きさは、小壁パネルの上下方向の幅によって規制されてしまうか、あるいは、小壁パネルを設けないにしても、最大限前記壁パネルの高さまでしか大きくできなかった。
【０００４】
本発明は上記事情に鑑みてなされたもので、建物内部の壁に上下に大きな開口部を形成することができる建物を提供することを目的としている。
【０００５】
【課題を解決するための手段】
上記目的を達成するために、本発明の請求項１の建物は、例えば、図１および図３に示すように、平面視において、ほぼ一直線上に離間して配置された壁１７，１７の上端部どうしの間に、架材２１を架設し、かつ、該架材２１を勾配屋根２２，２２の下面に沿って傾斜させており、互いに対向する前記壁１７，１７の側端面に、該壁１７，１７と同高さを有し架材２１の下面を受ける支持材２４，２４を固定するとともに、前記壁１７，１７の上端面に前記架材２１の側端面を受ける受材２５，２５を固定し、前記支持材２４，２４および受材２５，２５に前記架材２１の端部を固定したものである。
【０００６】
前記壁１７の両側にはそれぞれ居室２６，２６や廊下が配設される。また、前記壁１７，１７どうしの間には、階段１２が配設されたり、また、前記廊下や居室２６，２６に出入りするための開口部が配設される。
前記架材２１は、例えば、角材等によって構成され、屋根を支持でき得る強度を有する。また、架材２１を壁１７，１７の上端部どうしの間に架設するには、例えば、互いに対向する壁１７，１７の側端面に、該壁１７，１７と同高さの支持材２４，２４を固定しておき、一方、壁１７，１７の上端面に架材２１の端面を受ける受材２５，２５を固定しておき、これら支持材２４と受材２５に架材２１の端部を固定することにより行う。
【０００７】
請求項１の建物にあっては、架材２１が、一直線上に離間する壁１７，１７の上端部どうしに架設されており、この架材２１が勾配屋根２２，２２に沿って傾斜しているので、該壁１７，１７どうしの間の開口部２０は、その上端が屋根の裏面近傍まで達する大きな開口部となる。
また、この架材２１によって勾配屋根２２，２２を支持することができるので、上述したような屋根を支持するための、小屋パネルや屋切パネル等が不要となり、当然、架材２１に小屋パネルや屋切パネルの荷重がかかることがない。
【０００８】
請求項２の建物は、例えば図１に示すように、請求項１において、前記架材２１が、棟の左右の勾配に沿って傾斜する傾斜部２１ｂ，２１ｂを有しているものである。
前記架材２１は角材等で構成された、への字状の一体物であってもよいし、２本の角材２１ａ，２１ａを所定の角度で接合して、への字状に構成したものでもよい。２本の角材２１ａ，２１ａを接合する場合、その接合部に補強板２３を取付けるのが好ましい。
【０００９】
請求項２の建物にあっては、架材２１が棟の左右の勾配に沿って傾斜する傾斜２１ｂ，２１ｂ部を有しているので、該架材２１は、棟直下の壁１７，１７の上端部どうしの間に架設するのに好適なものとなる。また、棟直下の壁１７，１７の上端部どうしの間に架材２１を架設することにより、壁１７，１７どうしの間に形成される開口部２０の上下の大きさが最も大きくなる。
【００１０】
請求項３の建物は、請求項１または２において、前記壁１７の両側に位置する場所（図３においては居室２６，２６、図５においては階段１２と廊下２８、図６においては、廊下２８と廊下３０、図７においては廊下３７とリビング３６）の天井を、前記架材２１の傾斜に沿って設けたものである。
前記壁１７の両側に位置する場所とは、例えば、壁１７の両側に位置する上述したような居室２６、リビング３６、廊下２８，３０、階段１２等が挙げられる。
【００１１】
請求項３の建物にあっては、壁１７の両側に位置する場所の天井が架材２１の傾斜に沿っているので、つまり、壁１７，１７どうしの間に形成される開口部２０の上縁を構成する架材２１と、前記天井とが前記開口部２０を正面視した際においてほぼ面一になるので、壁１７の一方の側に位置する場所から、他方の側に位置する場所を開口部２０を通して一望することができ、また、空間的な拡がりを得ることができる。
【００１２】
請求項４の建物は、例えば図１に示すように、請求項１〜３のいずれかにおいて、前記架材２１が架設される壁１７を壁パネル１８…で構成したものである。
前記壁パネル１８は、例えば、桟材を矩形状に組んでなる枠体の両面側に、合板等からなる面材を貼設したものであり、この壁パネル１枚で前記壁を構成してもよいし、複数枚で構成してもよい。
【００１３】
請求項４の建物にあっては、壁パネル１８…を床パネル上に立設することによって、平面視において、ほぼ一直線上に離間する壁を容易に形成することができる。
【００１４】
【発明の実施の形態】
以下、図面を参照して本発明の建物の実施の形態例を説明する。
（第１実施形態例）
図１〜図３は、本発明に係る建物の第１例を示すもので、図１は、建物の縦断面図、図２は建物の１階の平面図、図３は２階の平面図である。
これらの図に示す建物は、壁や床、屋根といった構成要素を予め工場にてパネル化しておき、施工現場でこれらのパネルを組み立てることにより、構築されたもので、棟部１の下方に位置する建物内部の１階の壁２は、図１および図２に示すように、複数枚の壁パネル３…によって構成されており、該壁２には開口部４，５が形成されている。
【００１５】
前記開口部４は、壁パネル３，３を一直線上に離間して配置するとともに、これら壁パネル３，３の対向する側端面に支持材（方立）６，６を固定し、さらに前記壁パネル３，３間に、小壁パネル７を支持材６，６に支持させた状態で設けることによって、形成されたものである。
また、前記開口部５も、前記開口部４と同様に、壁パネル３，３を一直線上に離間して配置するとともに、これら壁パネル３，３の対向する側端面に支持材（方立）６，６を固定し、さらに前記壁パネル３，３間に、小壁パネル７を支持材６，６に支持させた状態で設けることによって、形成されたものである。
【００１６】
前記開口部４は、図２に示すように、南側の食堂兼居間８と、北西側の台所９とを行き来するためのものであり、該開口部４には扉は設けられていない。一方、前記開口部５は、前記食堂兼居間８と玄関ホール１０とを行き来するためのものであり、該開口部５には扉５ａが取付けられている。
また、前記台所９と玄関ホール１０との間には廊下１１が配設されており、該廊下１１の南側には２階に上る階段１２が配設されている。また、廊下１１の北側には、西側から東側に向けて順に、ユーティリティ１３、トイレ１４、洗面所１５、浴室１６が配設されている。
【００１７】
一方、棟部１の下方に位置する建物内部の２階の壁１７，１７は、図１および図３に示すように、複数枚の壁パネル１８…によって構成されており、該壁１７，１７の間には開口部２０が形成されている。
前記前記壁パネル１７は複数の壁パネル１８を接合することによって構成されたもので、前記開口部２０は、壁パネル１８，１８を一直線上に離間して配置するとともに、これら壁パネル１８，１８の上端部どうしの間に架材２１を架設することによって形成されたものである。
【００１８】
前記架材２１は、２本の角材２１ａ，２１ａを、勾配屋根２２，２２の傾斜角と等しい角度で接合して、への字状に構成されたもので、前記角材２１ａ，２１ａの上面は、棟の左右の勾配に沿って傾斜する傾斜部２１ｂ，２１ｂとされている。また、角材２１ａ，２１ａの接合部には補強板２３が固定されている。
前記架材２１は、勾配屋根２２，２２を支持でき得る強度を有するもので、該架材２１を前記壁パネル１８，１８の上端部どうしの間に架設するには、互いに対向する壁パネル１８，１８の側端面に、該壁パネル１８，１８と同高さの支持材２４，２４を固定しておき、一方、壁パネル１８，１８の上端面に架材２１の端面を受ける三角形状のパネルからなる受材２５，２５を固定しておき、これら支持材２４と受材２５に架材２１の端部を固定することにより行われている。
【００１９】
このように、本例の建物においては、前記架材２１が、一直線上に離間する壁パネル１８，１８の上端部どうしに架設されており、この架材２１の傾斜部２１ｂ，２１ｂが勾配屋根２２，２２に沿って傾斜しているので、該壁パネル１８，１８どうしの間の前記開口部２０は、その上端が勾配屋根２２，２２の裏面近傍まで達する大きな開口部となる。
また、前記架材２１によって勾配屋根２２，２２を支持することができるので、従来のような屋根を支持するための、小屋パネルや屋切パネル等が不要となるという利点もある。
さらに、前記架材２１が架設される壁１７を壁パネル１８…によって構成しているので、壁パネル１８を床パネル上に立設することによって、平面視において、ほぼ一直線上に離間する壁１７を容易に形成することができる。
【００２０】
また、本例の建物においては、図３に示すように、前記壁１７の南北両側には、居室２６，２６が配設され、前記開口部２０には、前記階段１２が北側の居室２６側に寄せて配設されている。また、前記居室２６，２６の天井は、前記架材２１の傾斜に沿って設けられている、つまり勾配天井となっている。
したがって、前記開口部２０の上縁を構成する架材２１と、前記天井とが前記開口部２０を正面視した際においてほぼ面一になるので、壁１７の一方の側に位置する居室２６から、他方の側に位置する居室２６を開口部２０を通して一望することができ、また、空間的な拡がりを得ることができる。
さらに、階段１１を前記開口部２０の中央側に配置することによって、階段１２の左右（東西）両側に、居室２６，２６を行き来する開口をそれぞれ形成することができ、動線が有利となる。
【００２１】
（第２実施形態例）
図４および図５は、本発明の建物の第２例を示すものであり、図４は建物の１階の平面図、図５は２階の平面図である。これらの図に示す建物が、前記図１〜図３に示す建物と異なる点は、１階および２階の間取りの構成であるので、この点についてのみ説明し、他の共通分には同一符号を付してその説明を省略する。
【００２２】
まず、１階については、図２に示す食堂兼居間８が、食堂８ａと和室８ｂとに分割され、和室８ｂの南側に、食堂８ａに連接する広縁８ｃが配設されている。
また、２階については、図３に示す居室２６，２６が、それぞれ左右（東西）に分割されて、居室２６ａ〜２６ｄとされている。そして、本例では、前記架材２１が架設されている壁１７の南側の壁２７と前記階段１２との間に廊下２８が配設されており、この廊下２８を通って、前記居室２６ａ〜２６ｄに出入りできるようになっている。
本例では、前記開口部２０において、その北側に階段１２を配置し、南側に廊下２８を配置することによって、居室２６ａ〜２６ｄのそれぞれに出入りする動線が優れたものになる。
【００２３】
（第３実施形態例）
図６は、本発明の建物の第３例を示すものであり、建物の２階の平面図である。この図に示す建物が、前記図１〜図３、または図４および図５に示す建物と異なる点は、２階の間取りの構成であるので、この点についてのみ説明し、他の共通分には同一符号を付してその説明を省略する。なお、本例の建物では、１階の間取りの構成は、前記図２または図４に示す間取りのいずれの構成をとってもよい。
【００２４】
本例の建物の２階については、前記北側の居室２６ａ，２６ｂの南側を画成する壁２９と、前記階段１２との間に廊下３０が配設されており、この廊下３０から居室２６ａ，２６ｂに出入りできるようになっている。
そして本例では、前記開口部２０において、その北側に階段１２を配置し、南側に廊下２８を配置し、さらに、階段１２の北側に廊下３０を配置することによって、階段１２を上って来た住人は、左右に曲がることによって、廊下２８，３０に入ることができ、よって、居室２６ａ〜２６ｄのそれぞれに出入りする動線が前記第２例の建物より優れたものになる。
【００２５】
（第４実施形態例）
図７は、本発明の建物の第４例を示すものであり、建物の２階の平面図である。この図に示す建物が、前記図１〜図３、図４および図５、または図６に示す建物と異なる点は、２階の間取りの構成であるので、この点についてのみ説明し、他の共通分には同一符号を付してその説明を省略する。なお、本例の建物では、１階の間取りの構成は、前記図２または図４に示す間取りのいずれの構成をとってもよい。
【００２６】
本例の建物の２階については、前記開口部２０の東側の前記壁１７の南側に居室３１が配設され、該壁１７の北側に居室３２が配設されている。また、前記開口部２０の西側の壁１７の南側には、所定間隔を隔てて壁３３が配設されており、この壁３３の南側に居室３４が配設されている。なお、この壁３３と前記壁１７との間にはトイレ３５が配設されている。
また、前記開口部２０の西側の壁１７の北側には、リビング３６が配設されており、前記階段１２は、開口部２０においてリビング３６側に寄せて配設されている。また、この階段１２に南側には廊下３７が配設されており、この廊下３７から居室３１，３４に出入りできるようになっている。
【００２７】
本例では、階段１２を上って来た住人は、すぐにリビング３６に入ることができるとともに、階段１２を上りながらリビング３６の様子を知ることができ、さらに、階段１２から廊下３７を通って容易に居室３１，３４に出入りすることができる。
【００２８】
そして、本発明の第１例〜第４例においては、２階のほぼ中央部に大きな開口部２０を設け、この開口部２０において階段１２を、壁１７の北側の居室に寄せて配置することによって、２階の間取りを、家族やライフスタイルの変化に対応させて簡単に変更することができる。なお、階段１２は、壁１７の南側の居室に寄せて配置しても、同様の効果を得ることができる。
なお、前記第２〜第４例においても、第１例と同様の効果を得ることができるのは勿論のことである。
【００２９】
また、前記第１〜第４例では、架材２１をへの字状に構成したが、本発明は、これに限ることなく、平面視において、ほぼ一直線上に離間して配置された壁の上端部どうしの間に、架材を架設し、かつ、該架材を勾配屋根の下面に沿って傾斜させればよい。例えば、建物の内部の壁において、棟の下方に位置しない壁においては、壁の上端部どうしの間に勾配屋根の傾斜に沿う斜めの架材を架設すればよい。
さらに、前記第１〜第４例では、本発明をパネル工法によって構築される建物に適用した場合を例にとって説明したが、本発明はこれに限ることなく、在来の軸組工法、ツーバイフォー工法等の各種工法によって構築される建物にも適用することができるのは勿論である。
【００３０】
【発明の効果】
以上説明したように、本発明の請求項１の建物は、平面視において、ほぼ一直線上に離間して配置された壁の上端部どうしの間に、架材を架設し、かつ、該架材を勾配屋根の下面に沿って傾斜させたものであるから、該壁どうしの間の開口部を、その上端が屋根の裏面近傍まで達する大きな開口部とすることができる。
また、この架材によって屋根を支持することができるので、従来のような屋根を支持するための、小屋パネルや屋切パネル等が不要となる。
【００３１】
請求項２の建物は、請求項１において、前記架材が棟の左右の勾配に沿って傾斜する傾斜部を有しているものであるから、該架材は、棟直下の壁の上端部どうしの間に架設するのに好適なものとなる。また、棟直下の壁の上端部どうしの間に架材を架設することにより、壁どうしの間に形成される開口部の上下の大きさを最も大きくすることができる。
【００３２】
請求項３の建物は、請求項１または２において、前記壁の両側に位置する場所の天井を、前記架材の傾斜に沿って設けたものであるから、壁どうしの間に形成される開口部の上縁を構成する架材と、前記天井とが前記開口部を正面視した際においてほぼ面一になり、よって、壁の一方の側に位置する場所から、他方の側に位置する場所を開口部を通して一望することができ、また、空間的な拡がりを得ることができる。
【００３３】
請求項４の建物は、請求項１〜３のいずれかにおいて、前記架材が架設される壁を壁パネルで構成したものであるから、壁パネルを床パネル上に立設することによって、平面視において、ほぼ一直線上に離間する壁を容易に形成することができる。
【図面の簡単な説明】
【図１】本発明の建物の第１実施形態例を示すもので、建物の縦断面図である。
【図２】同、建物の１階の平面図である。
【図３】同、建物の２階の平面図である。
【図４】本発明の建物の第２実施形態例を示すもので、建物の１階の平面図である。
【図５】同、建物の２階の平面図である。
【図６】本発明の建物の第３実施形態例を示すもので、建物の２階の平面図である。
【図７】本発明の建物の第４実施形態例を示すもので、建物の２階の平面図である。
【符号の説明】
１７  壁
１８  壁パネル
２０  開口部
２１  架材
２１ｂ  傾斜部
２２  勾配屋根
【図１】
0003696973.tif 000002
【図２】
0003696973.tif 000003
【図３】
0003696973.tif 000004
【図４】
0003696973.tif 000005
【図５】
0003696973.tif 000006
【図６】
0003696973.tif 000007
【図７】
0003696973.tif 000008